(57)【要約】【課題】納豆を食器に入れて、納豆のたれも透明の袋から開封して出して納豆の入れている食器に入れて、攪拌して納豆を食することが出来る。しかし、透明のヒニール袋に入っている「たれ」は、開封時に袋の切断が上手く行かず、テーブルに「たれ」がこぼれて不都合が生じる。納豆のたれ袋開封具提供する。【解決手段】納豆のたれ袋開封具のチャックを開放して、開放部から、たれを入れた透明のビニール袋を入れる。たれを入れた透明のビニール袋の入れる角度は、回転させて「たれ」を出す事を指示した矢印を上方にして入れる。納豆のたれ袋開封具の、右下方に「たれ」を袋から排出する丸筒にして、先端を雄ネジにして、その外部に雌ネジにした事を特徴とする。【選択図】図１
2019123551.tif 000002
【特許請求の範囲】
【請求項１】
納豆のたれ袋開封具（１）は、長方形のプラスチックの袋を横にして、左先端を開放部（１−５）として、その右側にファスナー（１−４）を縦に設け、右先端の下方には、丸筒のたれ排出部（１−１）として、先端を雄ネジ（１−７）として、前記先端の雄ネジ（１−７）の蓋は、雌ネジ（１−２）として、外観は滑り止めとして、納豆のたれ袋開封具（１）のファスナー（１−４）を開放して、入れる角度は、切り口を支持した矢印（２−３）を上方にして、たれを入れた透明のビニール袋（２）を入れて、納豆のたれ袋開封具（１）の中に、たれを入れた透明のビニール袋（２）を入れた状態で、納豆のたれ袋開封具（１）の上部に「ひだ」を作り、指でひねるしと、たれを入れた透明のビニール袋（２）のみ開封されるため、「たれ」は、納豆のたれ袋開封具（１）の内部に溜まるため、納豆のたれ袋開封具（１）の内部に溜まった「たれ」（２−２）は、蓋（雌ネジ）を外し、丸筒のたれ排出部（１−１）から排出することを特徴とする納豆のたれ袋開封具。
【発明の詳細な説明】
【技術分野】
【０００１】納豆のたれを入れた袋を「たれ」がこぼれないように開封する、納豆のたれ袋開封具に関する。
【背景技術】
【０００２】従来、納豆のたれは透明のビニール袋にいれて、納豆に付属されたものとして市販されてきた。「特許文献１」、特開２０１５−１６８１８０号公報（小袋開封具）に開示されている。
【先行技術文献】
【０００３】
【特許文献１】特開２０１５−１６８１８０
【発明の概要】
【発明が解決しようとする課題】
【０００４】従来、納豆は容器に入れて、納豆のたれは、透明のビニールに入れて、セットで市販されている。
納豆を食器に入れて、納豆のたれも透明の袋から開封して出して納豆の入れている食器に入れて、攪拌して納豆を食することが出来る。
しかし、透明のビニール袋に入っている「たれ」は、開封時に袋の切断が上手く行かず、テーブルに「たれ」がこぼれて不都合が生じる。
これは何とかしなければならない課題である。
【課題を解決する手段】
【０００５】課題を解決するために本発明は，以下の構成とした。
納豆のたれ袋開封具（１）は、長方形のプラスチックの袋を横にして、左先端を開放部（１−５）として、その右側にファスナー（１−４）を縦に設け、右先端の下方には、丸筒のたれ排出部（１−１）として、先端を雄ネジ（１−７）とした。
先端の雄ネジ（１−７）の蓋は、雌ネジ（１−２）として、外観は滑り止めとした。
【０００６】使用するときは、納豆のたれ袋開封具（１）のファスナー（１−４）を開放して、たれを入れた透明のビニール袋（２）を入れる。
たれを入れた透明のビニール袋（２）の入れる角度は、切り口を支持した矢印（２−３）を上方にして入れる。（図１）
納豆のたれ袋開封具（１）の中に、たれを入れた透明のビニール袋（２）を入れた状態で、納豆のたれ袋開封具（１）の上部に「ひだ」を作り、指でひねるしと、たれを入れた透明のビニール袋（２）のみ開封される。
その結果「たれ」は、納豆のたれ袋開封具（１）の内部に溜まるようにした。
【０００７】納豆のたれ袋開封具（１）の内部に溜まった「たれ」（２−２）は、蓋（雌ネジ）を外し、丸筒のたれ排出部（１−１）から排出する。（図１）
【発明の効果】
【０００８】１．納豆のたれ袋開封具（１）の中に、たれを入れた透明のビニール袋（２）を内部に入    れて、密閉して「たれ」の袋を開封するため「たれ」は、こぼれない。
２．テーブルの上に、たれがこぼれてティッシュ・布巾等を探し、余分な時間や不愉快さ    がなくなる。
【図面の簡単な説明】
【０００９】
【図１】納豆のたれ袋開封具の中に、たれを入れた透明のビニール袋を入れた平面図
【図２】納豆のたれ袋開封具（１）と、たれを入れた透明のビニール袋（２）と、「たれ」を袋から排出する丸筒のたれ排出部（１−１）、先端の雄ネジ（１−７）、蓋雌ネジ（１−２）を分解した説明図。
【図３】納豆のたれ袋開封具（１）の中に、たれを入れた透明のビニール袋（２）を入れた状態で、たれを入れた透明のビニール袋（２）のみを開封する説明図。
【発明を実施するための形態】
【００１０】納豆のたれ袋開封具（１）のファスナー（１−４）を開放して、袋の出し入れする開放部（１−５）から、たれを入れた透明のビニール袋（２）を入れる。
たれを入れた透明のビニール袋（２）の入れる角度は、切り口を指示した矢印（２−３）を上方にして入れる。（図１）
【００１１】納豆のたれ袋開封具（１）の、右下方に「たれ」を袋から排出する、丸筒のたれ排出部（１−１）にして、先端を雄ネジ（１−７）にして、その外部に蓋雌ネジ（１−２）にした。（図１）
また、蓋雌ネジ（１−２）の外観は滑り止め（１−３）とした。
【００１２】使用方法として納豆のたれ袋開封具（１）の上部を指で、ひだ（１−６）をつくり、ひねって、内部に入っている「たれ」を入れた透明のビニール袋（２）の、「たれ袋」を開封する事を指示した矢印（２−３）の上部をつかんで指でひねって、たれを入れた透明のビニール袋（２）のみを開封する。
開封後は、納豆のたれ袋開封具（１）の内部に「たれ」（２−２）が溜まり、「たれ」を袋から排出する丸筒のたれ排出部（１−１）の先端から排出する。
【符号の説明】
【００１３】（１）    納豆のたれ袋開封具
（１−１）丸筒のたれ排出部
（１−２）蓋（雌ネジ）
（１−３）雌ネジ外観滑り止め
（１−４）フアスナー
（１−５）たれを入れた透明のビニール袋の出し入れする開放部
（１−６）ひだ
（１−７）雄ネジ
（２）    たれを入れた透明のビニール袋
（２−１）ギザギザ部
（２−２）たれ
（２−３）開封を指示する矢印
【図１】
2019123551.tif 000003
【図２】
2019123551.tif 000004
【図３】
2019123551.tif 000005
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
納豆のたれ袋開封具（１）は、長方形のプラスチックの袋を横にして、左先端を開放部（１−５）として、その右側にファスナー（１−４）を縦に設け、右先端の下方には、丸筒のたれ排出部（１−１）として、先端を雄ネジ（１−７）として、前記先端の雄ネジ（１−７）の蓋は、雌ネジ（１−２）として、外観は滑り止めとして、納豆のたれ袋開封具（１）のファスナー（１−４）を開放して、切り口を支持した矢印（２−３）を上方にして、たれを入れた透明のビニール袋（２）を入れて、納豆のたれ袋開封具（１）の中に、たれを入れた透明のビニール袋（２）を入れた状態で、納豆のたれ袋開封具（１）の上部に「ひだ」を作り、指でひねると、たれを入れた透明のビニール袋（２）のみ開封されるため、「たれ」は、納豆のたれ袋開封具（１）の内部に溜まるため、納豆のたれ袋開封具（１）の内部に溜まった「たれ」（２−２）は、蓋（雌ネジ）を外し、丸筒のたれ排出部（１−１）から排出することを特徴とする納豆のたれ袋開封具。
【手続補正２】
【補正対象書類名】明細書
【補正対象項目名】０００６
【補正方法】変更
【補正の内容】
【０００６】使用するときは、納豆のたれ袋開封具（１）のファスナー（１−４）を開放して、たれを入れた透明のビニール袋（２）を入れる。
たれを入れた透明のビニール袋（２）は、切り口を支持した矢印（２−３）を上方にして入れる。（図１）
納豆のたれ袋開封具（１）の中に、たれを入れた透明のビニール袋（２）を入れた状態で、納豆のたれ袋開封具（１）の上部に「ひだ」を作り、指でひねると、たれを入れた透明のビニール袋（２）のみ開封される。
その結果「たれ」は、納豆のたれ袋開封具（１）の内部に溜まるようにした。
【手続補正３】
【補正対象書類名】明細書
【補正対象項目名】００１０
【補正方法】変更
【補正の内容】
【００１０】納豆のたれ袋開封具（１）のファスナー（１−４）を開放して、袋の出し入れする開放部（１−５）から、たれを入れた透明のビニール袋（２）を入れる。
たれを入れた透明のビニール袋（２）は、切り口を指示した矢印（２−３）を上方にして入れる。（図１